(57)【要約】  本発明は陽極及び陰極の間に分離膜が介在されて積層された構造の電極組立体を収納したパウチ形電池ケースであって、前記電池ケースは外部被覆層、金属バリア層及び内部接着層を含み、前記金属バリア層は複数の金属層の間に放熱層を含む構造を有するパウチ形電池ケースに関する。
2020507891.tif 000002
【特許請求の範囲】
【請求項１】
陽極及び陰極の間に分離膜が介在されて積層された構造の電極組立体を収納したパウチ形電池ケースであって、
外部被覆層、金属バリア層及び内部接着層を含み、
前記金属バリア層は複数の金属層の間に放熱層を含む構造を有する、パウチ形電池ケース。
【請求項２】
前記金属バリア層は第１金属層、放熱層及び第２金属層が順次積層された構造である、請求項１に記載のパウチ形電池ケース。
【請求項３】
前記放熱層は網構造又は多孔性構造を有しており、内部空隙が接着物質で満たされている、請求項１または２に記載のパウチ形電池ケース。
【請求項４】
前記接着物質は、ポリエチレンテレフタレート、ポリブチレンテレフタレート、ポリエチレンナフタレート、ポリブチレンナフタレート、ポリエチレンイソフタレート、ポリカーボネート、共重合ポリエステルを含むポリエステル系樹脂；ポリエーテル系接着剤；ポリウレタン系接着剤；エポキシ系樹脂；フェノール系樹脂；ナイロン６、ナイロン６６、ナイロン１２；ポリアミド系樹脂；ポリオレフィン、カルボン酸変性ポリオレフィン、金属変性ポリオレフィンを含むポリオレフィン系樹脂；ポリ酢酸ビニル系樹脂；セルロース系接着剤；メタクリル系樹脂；ポリイミド系樹脂；尿素樹脂、メラミン樹脂を含むアミノ樹脂；クロロプレンゴム、ニトリルゴム、スチレン−ブタジエンゴムを含むゴム；シリコン系樹脂からなる群から選択される１種以上である、請求項３に記載のパウチ形電池ケース。
【請求項５】
前記放熱層はアルミニウムの熱伝導度と同一であるかそれより高い熱伝導度を有する素材からなる、請求項１〜４のいずれか一項に記載のパウチ形電池ケース。
【請求項６】
前記放熱層は、アルミニウム（Ａｌ）、ベリリウム（Ｂｅ）、銅（Ｃｕ）、銀（Ａｇ）及び金（Ａｕ）からなる群から選択される１種以上からなる、請求項１〜５のいずれか一項に記載のパウチ形電池ケース。
【請求項７】
前記第１金属層及び前記第２金属層は前記放熱層によって互いに結合されている、請求項２に記載のパウチ形電池ケース。
【請求項８】
前記内部接着層は第１内部接着層及び第２内部接着層からなる、請求項１〜７のいずれか一項に記載のパウチ形電池ケース。
【請求項９】
前記第１内部接着層は金属層に隣接して位置する層であると共に、表面改質された酸性化ポリプロピレン（Ａｃｉｄｉｆｉｅｄ−Ｐｏｌｙｐｒｏｐｙｌｅｎｅ、ＰＰａ）からなり、第２内部接着層は前記第１内部接着層の外側に位置する層であると共に、ポリプロピレン（Ｐｏｌｙｐｒｏｐｙｌｅｎｅ、ＰＰ）からなる、請求項８に記載のパウチ形電池ケース。
【請求項１０】
前記外部被覆層は第１外部被覆層及び第２外部被覆層からなる、請求項１〜９のいずれか一項に記載のパウチ形電池ケース。
【請求項１１】
前記第１外部被覆層は最外側に位置する層であると共に、ポリエチレンテレフタレート（Ｐｏｌｙｅｔｈｙｌｅｎｅ  ｔｅｒｅｐｈｔｈａｌａｔｅ、ＰＥＴ）からなり、前記第２外部被覆層は前記第１外部被覆層と前記金属層の間に位置する層であると共に、延伸ナイロンからなる、請求項１０に記載のパウチ形電池ケース。
【請求項１２】
前記金属バリア層は３個以上の金属層間のそれぞれに放熱層を含む構造を有する、請求項１〜１１のいずれか一項に記載のパウチ形電池ケース。
【請求項１３】
前記金属バリア層と外部被覆層の間には接着層が介在されており、前記接着層と対面する金属バリア層の面は表面改質された酸性化ポリプロピレン層が結合されている、請求項１〜１２のいずれか一項に記載のパウチ形電池ケース。
【請求項１４】
請求項１〜１３のいずれか一項に記載のパウチ形電池ケースを含むパウチ形二次電池。
【発明の詳細な説明】
【技術分野】
【０００１】
本出願は２０１７年９月１９日付の韓国特許出願第２０１７−０１２０６３７号に基づく優先権の利益を主張し、当該韓国特許出願の文献に開示された全ての内容はこの明細書の一部として含まれる。
【０００２】
本発明は放熱層を含むパウチ形電池ケースであって、前記電池ケースは外部被覆層、金属バリア層及び内部接着層を含み、前記金属バリア層は複数の金属層の間に放熱層を含む構造を有するパウチ形電池ケースに関する。
【背景技術】
【０００３】
モバイル機器に対する技術開発と需要が増加するにつれてエネルギー源としての電池の需要が急激に増加している。また、多様な機器に適用することができる多くの形態の電池に対する研究が進んでいる。
【０００４】
電池の形状面では薄い厚さを有し、携帯電話などの製品に適用可能な角形二次電池とパウチ形二次電池に対する需要が高く、材料面では高いエネルギー密度、放電電圧、出力安全性などの利点を有するリチウムイオン電池、リチウムイオンポリマー電池などのようなリチウム二次電池に対する需要が高い。
【０００５】
近年には、スタック型又はスタック／フォルディング型電極組立体をラミネートシートのパウチ形電池ケースに内蔵した構造のパウチ形電池が、低い製造費、低重量、容易な形態変形などの理由で多くの関心を集めている。
【０００６】
ラミネートシートは、大きく外部被覆層、金属遮断層及び内部密封層から構成される。電極組立体の収納のための収納部をラミネートシートに成形する場合、金属遮断層の外側面が内側面より大きく延伸するにつれてストレスが集中し、クラック（ｃｒａｃｋ）が発生する。したがって、一定の深さ以上の電極組立体収納部を形成することに困難がある。
【０００７】
このように電池ケースにクラックが発生する場合、電解液が漏液して電池セルのサイクル特性が低下するだけでなく、安全性の面で多様な問題を引き起こすことができる。
【０００８】
ラミネートシートの金属遮断層に熱伝導性が優れた金属を使っているが、前記金属遮断層を取り囲んでいる高分子層によって熱伝導性が低くなる。これにより、電池セルの異常使用による熱暴走現象が発生するか、電池セルの爆発乃至発火の問題が発生する。
【０００９】
これに関連して、中国特許登録第２０４５５８５４７号公報には、外部保護フィルム、第1接着層、アルミニウムホイル、第２接着層、多孔性バッファー膜及び熱密封膜を含む層状構造のリチウム電池アルミニウムフィルムを開示しているが、多孔性バッファー膜による一つのアルミニウムホイルのみを使うので、成形性が向上する効果を得にくい。
【００１０】
日本国特許公開第２０１４−０８６３６１号公報は、アルミニウム箔Ａ、変性ポリオレフィン層Ｂ、シーラントフィルムＣが順に積層され、Ａの少なくともＢ側表面にニッケルクロム、ニッケル、銀、白金、金、銅及び鉛から選択された１種以上の金属が厚さ１０〜５００ｎｍの膜形に形成された二次電池外装用アルミニウム箔積層シートを開示する。
【００１１】
しかし、前記発明は電池セルの内部の熱を早く排出するための放熱構造を含んでいない。
【００１２】
したがって、パウチ形電池ケース用ラミネートシートに含まれる金属バリア層の厚さを増加させないながらも成形性を向上させることができ、電池セルの内部の熱を排出する性能が向上したパウチ形電池ケースに対する必要性が高い実情である。
【先行技術文献】
【特許文献】
【００１３】
【特許文献１】中国特許登録第２０４５５８５４７号公報
【特許文献２】日本国特許公開第２０１４−０８６３６１号公報
【発明の概要】
【発明が解決しようとする課題】
【００１４】
本発明は前記のような従来技術の問題点と過去から要請されて来た技術的課題を解決するために、外部被覆層、金属バリア層及び内部接着層を含む電池ケースであって、前記金属バリア層が複数の金属層の間に放熱層を含む構造を有する場合、単一金属層を使う場合より成形性を向上させることができる。
【００１５】
また、全体的な金属バリア層の厚さを増加させないながらも放熱特性を強化することができるので、電池セルの内部で発生した熱が早く排出できる。
【課題を解決するための手段】
【００１６】
このような目的を達成するための本発明によるパウチ形電池ケースは、陽極及び陰極の間に分離膜が介在されて積層された構造の電極組立体を収納したパウチ形電池ケースであって、前記電池ケースは外部被覆層、金属バリア層及び内部接着層を含み、前記金属バリア層は複数の金属層の間に放熱層を含む構造を有する。
【００１７】
このように、本発明によるパウチ形電池ケースの金属バリア層は複数の金属層からなる。前記複数の金属層の厚さ和と同じ厚さを有する単一金属層からなる場合と比較すると、電池ケースの成形時にコーナー部の外側で発生するストレスが相対的に小さくなる。よって、深い電極組立体収納部の形成ができるので、電池の容量を増大させることができる。
【００１８】
また、電池ケースでクラックが発生することを防止することにより、電解液の漏液、外部物質の流入及びサイクル特性の低下の問題などを防止することができる。
【００１９】
前記複数の金属層の間には放熱層が含まれるので、前記複数の金属層の厚さが相対的に薄くなることによって電池ケースの強度が弱くなることを補うことができ、放熱層の存在によって電池セルの内部で発生した熱を早く排出することができる。
【００２０】
本発明は、電池ケースの絶縁性及び密封性を確保するために前記金属バリア層を取り囲んでいる高分子層の存在のため、熱伝導性の高い金属を金属バリア層に使うにもかかわらず低い熱伝導性を有せざるを得なかった従来の問題点を解決することができる。
【００２１】
一具体例で、前記金属バリア層は第１金属層、放熱層及び第２金属層が順次積層された構造を有することができる。
【００２２】
前記第１金属層と第２金属層は同じ素材からなることができ、あるいは相異なる素材の金属からなることができる。例えば、前記第１金属層及び／又は第２金属層はアルミニウムからなることができる。
【００２３】
前記放熱層は前記第１金属層及び第２金属層と同じ素材からなることができ、あるいは前記第１金属層及び第２金属層と異なる素材からなることができる。
【００２４】
前記放熱層は網構造又は多孔性構造のもので、内部空隙が接着物質で満たされた構造を有しており、前記放熱層を満たす接着物質によって前記第１金属層と第２金属層が放熱層の両側面のそれぞれに付着することができる。
【００２５】
したがって、前記第１金属層と放熱層の間、及び前記第２金属層と放熱層の間に別途の接着層が不必要である。
【００２６】
前記接着物質は前記第１金属層、放熱層及び第２金属層間の結合を容易にすることができる素材であれば特に制限されないもので、例えば、ポリエチレンテレフタレート、ポリブチレンテレフタレート、ポリエチレンナフタレート、ポリブチレンナフタレート、ポリエチレンイソフタレート、ポリカーボネート、共重合ポリエステルを含むポリエステル系樹脂；ポリエーテル系接着剤；ポリウレタン系接着剤；エポキシ系樹脂；フェノール系樹脂；ナイロン６、ナイロン６６、ナイロン１２；ポリアミド系樹脂；ポリオレフィン、カルボン酸変性ポリオレフィン、金属変性ポリオレフィンを含むポリオレフィン系樹脂；ポリ酢酸ビニル系樹脂；セルロース系接着剤；メタクリル系樹脂；ポリイミド系樹脂；尿素樹脂、メラミン樹脂を含むアミノ樹脂；クロロプレンゴム、ニトリルゴム、スチレン−ブタジエンゴムを含むゴム；シリコン系樹脂からなる群から選択される１種以上からなることができる。
【００２７】
電池セル内部の熱を外部に早く排出して熱暴走現象の発生を防止し、電池セルの爆発乃至発火の危険を低めるために、前記放熱層はアルミニウムの熱伝導度と同一であるかそれより高い熱伝導度を有する素材からなることが好ましい。例えば、前記放熱層は、アルミニウム（Ａｌ）、ベリリウム（Ｂｅ）、銅（Ｃｕ）、銀（Ａｇ）及び金（Ａｕ）からなる群から選択される１種からなることができ、あるいは前記金属を２種以上含む合金からなることができる。前記金属は放熱層の網構造又は多孔性構造を成すことができる。
【００２８】
一具体例で、貫通口が形成された網構造乃至３次元多孔性構造を有する放熱層の内部空隙が接着物質で満たされる場合には、前記第１金属層及び第２金属層は前記放熱層の接着物質によって互いに結合して１単位部材のような形態になることができる。
【００２９】
前記内部接着層は第１内部接着層及び第２内部接着層からなり、前記第１内部接着層は金属層に隣接して位置する層であると共に、表面改質された酸性化ポリプロピレン（Ａｃｉｄｉｆｉｅｄ−Ｐｏｌｙｐｒｏｐｙｌｅｎｅ、ＰＰａ）からなり、第２内部接着層は前記第１内部接着層の外側に位置する層であると共に、ポリプロピレン（Ｐｏｌｙｐｒｏｐｙｌｅｎｅ、ＰＰ）からなることができる。
【００３０】
前記外部被覆層は第１外部被覆層及び第２外部被覆層からなり、前記第１外部被覆層は最外側に位置する層であると共に、ポリエチレンテレフタレート（Ｐｏｌｙｅｔｈｙｌｅｎｅ  ｔｅｒｅｐｈｔｈａｌａｔｅ、ＰＥＴ）からなり、前記第２外部被覆層は前記第１外部被覆層と前記金属層の間に位置する層であると共に、延伸ナイロンからなることができる。
【００３１】
一具体例で、前記金属バリア層の成形性を向上させるために複数の金属層からなることができ、前記金属層は２個以上の金属層を含むことができる。
【００３２】
また、前記複数の金属層を結合させることができるとともに一定の水準以上の強度を確保し、さらに熱伝導度の高い金属素材からなる放熱層が前記金属層の間に位置する。すなわち、前記金属バリア層は３個以上の金属層間のそれぞれに放熱層を含む構造を有する場合、前記金属バリア層の熱伝導度が増加して放熱特性が向上することができる。
【００３３】
前記金属バリア層と外部被覆層の間には接着層が介在されており、前記接着層と対面する金属バリア層の面は表面改質された酸性化ポリプロピレン層が結合した構造であってもよい。
【００３４】
表面改質された前記酸性化ポリプロピレンは表面に酸性作用基が付着するように表面改質されたものであり、ポリプロピレンと比較すると、前記金属バリア層との結合力がもっと向上する効果を提供する。したがって、表面改質された前記酸性化ポリプロピレンからなる内部接着層が前記金属バリア層に隣接して位置することが好ましい。
【００３５】
また、本発明は、前記パウチ形電池ケースを含むパウチ形二次電池及び前記パウチ形二次電池を含む電池パックを提供する。
【００３６】
具体的に、前記電池パックは、高温安全性及び長いサイクル特性と高いレート特性などが要求されるデバイスの電源として使われることができる。このようなデバイスの具体的な例としては、モバイル電子機器（ｍｏｂｉｌｅ  ｄｅｖｉｃｅ）、ウェアラブル電子機器（ｗｅａｒａｂｌｅ  ｄｅｖｉｃｅ）、電池的モーターによって動力を受けて動作するパワーツール（ｐｏｗｅｒ  ｔｏｏｌ）；電気自動車（Ｅｌｅｃｔｒｉｃ  Ｖｅｈｉｃｌｅ、ＥＶ）、ハイブリッド電気自動車（Ｈｙｂｒｉｄ  Ｅｌｅｃｔｒｉｃ  Ｖｅｈｉｃｌｅ、ＨＥＶ）、プラグインハイブリッド電気自動車（Ｐｌｕｇ−ｉｎ  Ｈｙｂｒｉｄ  Ｅｌｅｃｔｒｉｃ  Ｖｅｈｉｃｌｅ、ＰＨＥＶ）などを含む電気車；電気自転車（Ｅ−ｂｉｋｅ）、電気スクーター（Ｅ−ｓｃｏｏｔｅｒ）を含む電気二輪車；電気ゴルフカート（ｅｌｅｃｔｒｉｃ  ｇｏｌｆ  ｃａｒｔ）；電力貯蔵装置（Ｅｎｅｒｇｙ  Ｓｔｏｒａｇｅ  Ｓｙｓｔｅｍ）などを挙げることができるが、これに限定されるものではない。
これらのデバイスの構造及びその製作方法は当該分野に公知となっているので、本明細書ではそれについての詳細な説明は省略する。
【図面の簡単な説明】
【００３７】
【図１】一実施例によるパウチ形電池ケースの垂直断面図である。
【図２】他の一実施例によるパウチ形電池ケースの垂直断面図である。
【図３】多様な構造の放熱層の網構造又は多孔性構造を示す図である。
【発明を実施するための形態】
【００３８】
以下、添付図面に基づいて本発明が属する技術分野で通常の知識を有する者が本発明を易しく実施することができる実施例を詳細に説明する。ただ、本発明の好適な実施例に対する動作原理を詳細に説明するに当たり、関連の公知機能又は構成についての具体的な説明が本発明の要旨を不必要にあいまいにすることができると判断される場合にはその詳細な説明を省略する。
【００３９】
また、図面全般にかけて類似の機能及び作用をする部分に対しては同じ図面符号を付ける。明細書全般において、ある部分が他の部分と連結されていると言うとき、これは直接的に連結されている場合だけではなく、その間に他の素子を挟んで間接的に連結されている場合も含む。また、ある構成要素を含むとは、特に反対の記載がない限り、他の構成要素を除くものではなく、他の構成要素をさらに含むことができることを意味する。
【００４０】
本発明を図面に基づいて詳細な実施例とともに説明する。
【００４１】
図１は一実施例によるパウチ形電池ケースの垂直断面図を模式的に示している。
【００４２】
図１を参照すると、パウチ形電池ケース１００は、外部被覆層１１０、金属バリア層１２０及び内部接着層１３０が順次積層されており、外部被覆層１１０と金属バリア層１２０の間には接着層１４０をさらに含んでいる。図１には示されていないが、接着層１４０は金属バリア層１２０と内部接着層１３０の間にも位置することができ、あるいは外部被覆層１１０と金属バリア層１２０の間及び金属バリア層１２０と内部接着層１３０の間の両方に位置することができる。
【００４３】
金属バリア層１２０は第１金属層１２１、放熱層１２２及び第２金属層１２３が積層された構造に形成され、第１金属層と第２金属層は同じ素材又は相異なる素材からなることができ、放熱層１２２は第１金属層１２１又は第２金属層１２３と同じ素材又は相異なる素材からなることができる。
【００４４】
放熱層１２２は、下記の図３の説明のように、内部に空隙が形成されており、前記内部空隙が接着物質（図示せず）で満たされ、前記接着物質によって第１金属層と第２金属層が放熱層と結合することによって第１金属層、放熱層及び第２金属層が１単位の部材のような形状になる。
【００４５】
図２は他の一実施例によるパウチ形電池ケースの垂直断面図を模式的に示している。
【００４６】
図２を参照すると、パウチ形電池ケース２００は、第１外部被覆層２１１、第２外部被覆層２１２、金属バリア層２２０、第１内部接着層２３１及び第２内部接着層２３２が順次積層された構造になり、第２外部被覆層２１２と金属バリア層２２０の間には接着層２１３が位置する。図２には示していないが、接着層２１３は金属バリア層２２０と第１内部接着層２３１の間に存在することができ、あるいは第２外部被覆層２１２と金属バリア層２２０の間及び第１内部接着層２３１と金属バリア層２２０の間の両方に位置することができる。
【００４７】
パウチ形電池ケース１００とパウチ形電池ケース２００を比較すると、パウチ形電池ケース２００は２層構造の外部被覆層及び２層構造の内部接着層からなった点を除き、パウチ形電池ケース１００と同じ構造を有することができるので、前記相違点を除いたパウチ形電池ケース１００についての説明はパウチ形電池ケース２００についての説明にも適用可能である。
【００４８】
図３は多様な構造の放熱層の網構造又は多孔性構造を示す。
【００４９】
図３を参照すると、放熱層（ａ）は平板状金属板に多数の貫通口が形成された網構造になり、放熱層（ｂ）、（ｃ）、（ｄ）は３次元の開放形多孔性構造が金属放熱層に形成された構造である。
【００５０】
前記貫通口及び多孔性構造が接着物質で満たされることによって金属層と結合される。前記接着物質は貫通口及び多孔性気孔の総容積を基準に５０％〜１００％の比率で充填されることができる。
【００５１】
放熱層は熱伝導性に優れた素材からなることが好ましい。一般的にラミネートシートの金属層にアルミニウムが使われる点を考慮すると、前記放熱層はアルミニウムの熱伝導度より高い熱伝導度を有する金属素材からなることが好ましい。
【００５２】
このように、本発明によるパウチ形電池ケースは複数の金属層の間に放熱層が介在された構造の金属バリア層を含むことにより、電池ケースの成形性及び放熱性を向上させることができる。
【００５３】
本発明が属する分野で通常の知識を有する者であれば前記内容に基づいて本発明の範疇内で多様な応用及び変形をなすことが可能であろう。
【産業上の利用可能性】
【００５４】
以上で説明したように、本発明によるパウチ形電池ケースは外部被覆層、金属バリア層及び内部接着層を含み、前記金属バリア層は複数の金属層からなる。同じ厚さを有する単一金属層を使う場合と比較すると、一つの金属層の分だけ薄くなるので、相対的に柔軟性がもっと向上して優れた成形性を発揮することができる。
【００５５】
また、前記のように複数の金属層の間に放熱層を含ませることにより、金属層間の結合ができるのみならず、放熱特性が向上することができ、さらに電池セルの劣化現象が発生する前に早く放熱することができるので、安全性が向上した二次電池を提供することができる。
【符号の説明】
【００５６】
１００，２００  パウチ形電池ケース
１１０  外部被覆層
１２０  金属バリア層
１２１  第１金属層
１２２  放熱層
１２３  第２金属層
１３０  内部接着層
１４０  接着層
２１１  第１外部被覆層
２１２  第２外部被覆層
２１３  接着層
２２０  金属バリア層
【図１】
2020507891.tif 000003
【図２】
2020507891.tif 000004
【図３（ａ）】
2020507891.tif 000005
【図３（ｂ）】
2020507891.tif 000006
【図３（ｃ）】
2020507891.tif 000007
【図３（ｄ）】
2020507891.tif 000008
【国際調査報告】
2020507891.tif 000009
2020507891.tif 000010
2020507891.tif 000011
2020507891.tif 000012